【事件の表示】
　特許第３３７９５９４号「眼科装置」の請求項１に係る特許に対する特許異議の申立てについて、次のとおり決定する。
【結　論】
　訂正を認める。
　特許第３３７９５９４号の請求項１に係る特許を取り消す。
【理　由】
１．手続の経緯
　特許第３３７９５９４号発明は、平成５年１１月１５日に特許出願され、平成１４年１２月１３日にその特許権の設定登録がなされ、その後、高柳　智明より特許異議の申立てがなされ、取消理由通知が通知され、その指定期間内である平成１６年６月１４日に訂正請求がなされたものである。
　
２．訂正の適否
（１）訂正事項
（訂正事項ａ）
特許請求の範囲の請求項１の「照明光源からの照明光を被検眼に照射する照明光学系と、
　カラー電子撮像手段と、
　赤外に感度を持つ赤外電子撮像手段と、
　前記照射により被検眼からの反射光を前記電子撮像手段に案内して被検眼像を結像させる観察・撮影照明光学系と、
　前記電子撮像手段からの映像信号を基に眼科画像を表示させるカラー表示装置と、
　少なくとも前記カラー電子撮像手段で撮影する散瞳モード及び前記赤外電子撮影撮像手段で撮影する無散瞳モードを切り換え選択するモード選択スイッチと、
　前記モード選択スイッチで散瞳モードが選択されたとき、可視光を前記照明光学系から前記被検眼に照射させて、前記被検眼を前記カラー電子撮像手段により撮影させて前記カラー表示装置にカラー眼科画像を表示させ、前記モード選択スイッチで無散瞳モードが選択されたとき、赤外光を前記照明光学系から前記被検眼に照射させて、前記被検眼を前記赤外電子撮像手段により撮影させて前記カラー表示装置に赤外による白黒の眼科画像を切換表示させる制御回路とを備える眼科装置であって、
　前記演算制御回路は電源がＯＮさせられた初期状態のときに前記照明光学系から前記被検眼に赤外光を照射させるように設定されていることを特徴とする眼科装置。」を、
「ハロゲンランプとキセノンランプがこの順に対物レンズ側に配列され且つ前記ハロゲンランプ又はキセノンランプからの照明光を被検眼に照射する照明光学系と、
　カラー電子撮像手段と、
　赤外に感度を持つ赤外電子撮像手段と、
　前記照射により被検眼からの反射光を前記電子撮像手段に案内して被検眼像を結像させる観察・撮影照明光学系と、
　前記電子撮像手段からの映像信号を基に眼科画像を表示させるカラー表示装置と、
　少なくとも前記カラー電子撮像手段で撮影する蛍光電子撮影モードを含む散瞳モード及び前記赤外電子撮像手段で撮影する無散瞳モードを切り換え選択するモード選択スイッチと、
　前記モード選択スイッチで散瞳モードが選択されたとき、可視光を前記照明光学系から前記被検眼に照射させて、前記被検眼を前記カラー電子撮像手段により撮影させて前記カラー表示装置にカラー眼科画像を表示させ、前記モード選択スイッチで無散瞳モードが選択されたとき、赤外光を前記照明光学系から前記被検眼に照射させて、前記被検眼を前記赤外電子撮像手段により撮影させて前記カラー表示装置に赤外による白黒の眼科画像を切換表示させる制御回路とを備える眼科装置であって、
　前記ハロゲンランプとキセノンランプとの間に可視カットフィルターが挿脱可能に設けられ、
　前記演算制御回路は、前記モード選択スイッチが散瞳モードと無散瞳モードの衣連れかを選択している場合でも、電源がＯＮさせられた初期状態のときに前記可視カットフィルターを前記照明光学系に挿入させて、前記照明光学系から前記被検眼に赤外光を照射させるように設定されていることを特徴とする眼科装置。」と訂正する。
　
（訂正事項ｂ）
段落番号【０００７】の記載、
「【課題を解決するための手段】
　この目的を達成するために、請求項１の発明は、照明光源からの照明光を被検眼に照射する照明光学系と、カラー電子撮像手段と、赤外に感度を持つ赤外電子撮像手段と、前記照射により被検眼からの反射光を前記電子撮像手段に案内して被検眼像を結像させる観察・撮影照明光学系と、前記電子撮像手段からの映像信号を基に眼科画像を表示させるカラー表示装置と、少なくとも前記カラー電子撮像手段で撮影する散瞳モード及び前記赤外電子撮影撮像手段で撮影する無散瞳モードを切り換え選択するモード選択スイッチと、前記モード選択スイッチで散瞳モードが選択されたとき、可視光を前記照明光学系から前記被検眼に照射させて、前記被検眼を前記カラー電子撮像手段により撮影させて前記カラー表示装置にカラー眼科画像を表示させ、前記モード選択スイッチで無散瞳モードが選択されたとき、赤外光を前記照明光学系から前記被検眼に照射させて、前記被検眼を前記赤外電子撮像手段により撮影させて前記カラー表示装置に赤外による白黒の眼科画像を切換表示させる制御回路とを備える眼科装置であって、前記演算制御回路は電源がＯＮさせられた初期状態のときに前記照明光学系から前記被検眼に赤外光を照射させるように設定されている眼科装置としたことを特徴とする。」を、
「【課題を解決するための手段】この目的を達成するために、請求項１の発明は、ハロゲンランプとキセノンランプがこの順に対物レンズ側に配列され且つ前記ハロゲンランプ又はキセノンランプからの照明光を被検眼に照射する照明光学系と、カラー電子撮像手段と、赤外に感度を持つ赤外電子撮像手段と、前記照射により被検眼からの反射光を前記電子撮像手段に案内して被検眼像を結像させる観察・撮影照明光学系と、前記電子撮像手段からの映像信号を基に眼科画像を表示させるカラー表示装置と、少なくとも前記カラー電子撮像手段で撮影する蛍光電子撮影モードを含む散瞳モード及び前記赤外電子撮像手段で撮影する無散瞳モードを切り換え選択するモード選択スイッチと、前記モード選択スイッチで散瞳モードが選択されたとき、可視光を前記照明光学系から前記被検眼に照射させて、前記被検眼を前記カラー電子撮像手段により撮影させて前記カラー表示装置にカラー眼科画像を表示させ、前記モード選択スイッチで無散瞳モードが選択されたとき、赤外光を前記照明光学系から前記被検眼に照射させて、前記被検眼を前記赤外電子撮像手段により撮影させて前記カラー表示装置に赤外による白黒の眼科画像を切換表示させる制御回路とを備える眼科装置であって、
　前記ハロゲンランプとキセノンランプとの間に可視カットフィルターが挿脱可能に設けられ、
　前記演算制御回路は、前記モード選択スイッチが散瞳モードと無散瞳モードのいずれを選択している場合でも、電源がＯＮさせられた初期状態のときに前記可視カットフィルターを前記照明光学系に挿入させて、前記照明光学系から前記被検眼に赤外光を照射させるように設定されていることを特徴とする。」と訂正する。
　
（２）訂正の目的の適否、新規事項の有無及び拡張・変更の存否
　上記（訂正事項ａ）には、
ａ−１：「照明光源」を「ハロゲンランプとキセノンランプがこの順に対物レンズ側に配列され」た「ハロゲンランプ又はキセノンランプ」と減縮し、
　
ａ−２：「散瞳モード」を、「蛍光電子撮影モードを含む散瞳モード」と訂正し、
　
ａ−３：「前記赤外電子撮影撮像手段」を、「前記赤外電子撮像手段」と訂正し、
　
ａ−４：「被検眼に赤外光を照射させる」方法を、「ハロゲンランプとキセノンランプとの間に可視カットフィルターが挿脱可能に設けられ」、「前記可視カットフィルターを前記照明光学系に挿入させて、前記照明光学系から前記被検眼に赤外光を照射させる」方法に減縮し、
　
ａ−５：「電源がＯＮさせられた初期状態」を、「前記モード選択スイッチが散瞳モードと無散瞳モードのいずれを選択している場合でも、電源がＯＮさせられた初期状態」に訂正しているものであり、ａ−１、ａ−４の訂正事項は特許請求の範囲の減縮を、ａ−２、ａ−３及びａ−５は明りょうでない記載の釈明を目的としているものである。
　
　また、ａ−１は、特許明細書の、段落番号【００１４】−【００１７】欄の記載に基づくもの、ａ−２は、特許明細書の段落番号【００３４】、【００５４】−【００６５】欄の記載に基づくもの、ａ−３は、特許明細書の請求項１の記載に基づくもの、ａ−４及びａ−５は、特許明細書の段落番号【００３６】、【００３７】、【００５４】−【００６５】、【００６７】欄の記載に基づくものであり、（訂正事項ａ）は、願書に添付した明細書又は図面に記載した事項の範囲内でされたものである。
　
　（訂正事項ｂ）は、いずれも訂正された特許請求の範囲の記載に対応するように、特許明細書の記載を訂正するものであるから、明りょうでない記載の釈明を目的とするものである。
　
（３）むすび
　以上のとおりであるから、上記訂正は、特許法第１２０条の４第３項において準用する平成６年法律第１１６号による改正前の特許法第１２６条第１項ただし書、第２項及び第３項の規定に適合するので、当該訂正を認める。
　
３．特許異議申立てについての判断
（１）訂正明細書の請求項１に係る発明
　上記のとおり訂正は認められるから、本件の請求項１に係る発明（以下、本件発明という。）は、訂正明細書の特許請求の範囲の請求項１に記載された次のとおりのものである。
　
「ハロゲンランプとキセノンランプがこの順に対物レンズ側に配列され且つ前記ハロゲンランプ又はキセノンランプからの照明光を被検眼に照射する照明光学系と、
　カラー電子撮像手段と、
　赤外に感度を持つ赤外電子撮像手段と、
　前記照射により被検眼からの反射光を前記電子撮像手段に案内して被検眼像を結像させる観察・撮影照明光学系と、
　前記電子撮像手段からの映像信号を基に眼科画像を表示させるカラー表示装置と、
　少なくとも前記カラー電子撮像手段で撮影する蛍光電子撮影モードを含む散瞳モード及び前記赤外電子撮像手段で撮影する無散瞳モードを切り換え選択するモード選択スイッチと、
　前記モード選択スイッチで散瞳モードが選択されたとき、可視光を前記照明光学系から前記被検眼に照射させて、前記被検眼を前記カラー電子撮像手段により撮影させて前記カラー表示装置にカラー眼科画像を表示させ、前記モード選択スイッチで無散瞳モードが選択されたとき、赤外光を前記照明光学系から前記被検眼に照射させて、前記被検眼を前記赤外電子撮像手段により撮影させて前記カラー表示装置に赤外による白黒の眼科画像を切換表示させる制御回路とを備える眼科装置であって、
　前記ハロゲンランプとキセノンランプとの間に可視カットフィルターが挿脱可能に設けられ、
　前記演算制御回路は、前記モード選択スイッチが散瞳モードと無散瞳モードのいづれを選択している場合でも、電源がＯＮさせられた初期状態のときに前記可視カットフィルターを前記照明光学系に挿入させて、前記照明光学系から前記被検眼に赤外光を照射させるように設定されていることを特徴とする眼科装置。」
　
（２）引用刊行物
　当審が通知した取消理由通知に引用した刊行物１（特開昭６１−２８８８２５号公報）には、以下の事項が記載されている。
　
「本発明の目的は、カラーカメラによる観察系を用いて、比較的簡単な操作で済む照明系の切換えのみにより散瞳式としても無散瞳式としても使用することのでき、観察時に散瞳式ではカラー画像が得られ、無散瞳式ではモノクロ画像が得られる散瞳・無散瞳共用眼底カメラを提供することにある。」（第２頁左上欄第１７行目から右上欄第３行目）
　
「第１図は本発明を適用した眼底カメラの一実施例を示すものであり、光源には例えば白熱電球１のような可視光及び近赤外光を発するものが用いられ、記録時にはストロボを併用することも可能である。この白熱電球１を出射した光はフィルタ２ａ（又は２ｂ）を通り、更にレンズ３、穴あきミラー４、レンズ５を経て被検眼Ｅの眼底Ｅｒを照明するようになっている。そして、眼底Ｅｒからの反射光はレンズ５，穴あきミラー４、レンズ６、選択ミラー７を介してフィルム８又はカラーテレビカメラ９の撮像素子１０に眼底像を結像する。
　カラーテレビカメラ９は可視光及び近赤外光に対して感度を有する撮像素子１０と映像部１１を有し、映像信号をカラーモニタ１２に送って眼底像を写し出す。」（第２頁右上欄第１６行目から左下欄第１１行目）
　
「照明光学系に互換的に挿入されるフィルタ２ａ及び２ｂのうち、フィルタ２ａは近赤外光透過フィルタであり、その特性は第３図のＡで示され、フィルタ２ｂは可視光透過フィルタであり特性はＢで示されている。無散瞳式の場合にはフィルタ２ａを挿入し、散瞳式で散瞳材を点眼して使用するときにはフィルタ２ｂを挿入することにより、眼底像をモノクロ画像又はカラー画像で観察することができ、アライメント調整等に使用できる。」（第２頁右下欄第３から１２行目）
　
　当審が通知した取消理由通知に引用した刊行物２（特開平０４−２６３８３４号公報）には、以下の事項が記載されている。
　
「【００２２】
　また、本実施例においては、架台２６の動きを検出して初期状態への復帰信号を出力するようにしたが、眼科装置の電源のＯＮ時あるいはＯＦＦ時に初期状態への復帰信号を出力するようにし、眼科装置の使用開始時には常に初期状態に設定されているようにしてもよく、また、センサ回路５を額当て２７又は顎受け２８内に設定し、被検者が代わって額当て２７又は顎受け２８に新たに接触する度ごとに、あるいは被検者が額当て２７又は顎受け２８から離れるごとに、初期状態に設定されるようにしてもよい。」
　
　当審が通知した取消理由通知に引用した刊行物３（特開平０４−２９２１３６号公報）には、以下の事項が記載されている。
　
「【００１８】
　観察撮影系３は、赤外及び可視光撮影カラーテレビカメラ１９、磁気又は光ディスク２０及びモニターテレビ２１から成る。」
　
「【００２４】
　図２に示す時刻ｔ0において、装置は観察動作を行っている。図１に示すように、観察時においては、可視光カットフィルター７は光路に挿入されて実線で示す位置にあり、赤外光カットフィルター８は光路から退避して実線で示す位置にある。それ故、フィルター切換装置９は観察撮影共用光源５から発せられた光のうちの可視光を遮断し、赤外光を透過させる。従って、被検眼Ｅの眼底Ｆを赤外光で照射し、反射赤外光による像をカラーテレビカメラ１９に入射させ、その光電面２２上に生じた光学像を電気信号に変換し、モニタテレビ２１に導くことにより眼底像の観察をモニタテレビ２１のブラウン管上で行う。眼底像のアライメント及びピント合せは、合焦レンズ１６を前後に移動させて行う。」
　
「【００４１】
　更に、観察撮影手段として赤外及び可視光撮影カラーテレビカメラ１９を用いたが、観察手段と撮影手段とを分離し、観察手段として赤外テレビカメラを用い、撮影手段として３５mmスティルカメラを用いる等、周知の他の観察、撮影手段を用いてもよいことも言うまでもない。」
　
（３）対比・判断
　
　本件発明と刊行物１に記載された発明と比較すると、刊行物１に記載された、「光源」、「カラーカメラ９の撮像素子１０」は、それぞれ本件発明の、「照明光源」、「カラー撮像手段」に相当し、刊行物１は、散瞳モードと無散瞳モードを切り換えて使用するから、両者は、
　
「照明光源からの照明光を被検眼に照射する照明光学系と、
　カラー電子撮像手段と、
　前記照射により被検眼からの反射光を前記電子撮像手段に案内して被検眼像を結像させる観察・撮影照明光学系と、
　前記電子撮像手段からの映像信号を基に眼科画像を表示させるカラー表示装置と、
　散瞳モードが選択されたとき、可視光を前記照明光学系から前記被検眼に照射させて、前記被検眼を前記カラー電子撮像手段により撮影させて前記カラー表示装置にカラー眼科画像を表示させ、無散瞳モードが選択されたとき、赤外光を前記照明光学系から前記被検眼に照射させて、前記カラー表示装置に赤外による白黒の眼科画像を切換表示させる制御回路とを備える眼科装置であって、
　前記照明光源にフィルターが挿脱可能に設けられていることを特徴とする眼科装置。」
である点で一致し以下の点で相違している。
　
（相違点１）
　本件発明の照明光源はハロゲンランプとキセノンランプとがこの順序に対物レンズ側に配列されたものであるのに対し、刊行物１には、この点について記載されていない点。
　
（相違点２）
　本件発明の散瞳モードは、蛍光電子撮影モードを含んでいるのに対し、刊行物１には、蛍光撮影モードが記載されていない点。
　
（相違点３）
　本件発明は、カラー電子撮像手段で撮影する散瞳モード及び無散瞳モードを切り換え選択するモード選択スイッチがあるのに対し、刊行物１には、この点に関し何ら記載されていない点。
　
（相違点４）
　本件発明のフィルターは、ハロゲンランプとキセノンランプの間に設けられた可視カットフィルターであるのに対し、刊行物１に記載されたフィルターは近赤外光透過フィルタであり、その配置をどのようにしたか具体的に記載されていない点。
　
（相違点５）
　本件発明は、赤外に感度を持つ赤外電子撮影手段を有しているのに対し、刊行物１に記載された発明は、近赤外光に対し感度を持つカラー電子撮影手段を有しているものの、赤外に感度を持つ赤外電子撮影手段に関しては、何ら記載されていない点。
　
（相違点６）
　本件発明は、モード選択スイッチが散瞳モードと無散瞳モードのいづれを選択している場合でも、電源がＯＮさせられた初期状態のときに前記可視カットフィルターを前記照明光学系に挿入させて、前記照明光学系から前記被検眼に赤外光を照射させるように設定されているのに対し、刊行物１に記載された発明には、その点に関し何ら記載されていない点。
　
上記（相違点１）、（相違点４）及び（相違点５）について検討する。
　眼科装置の照明光源をハロゲンランプとキセノンランプとがこの順序に対物レンズ側に配列されたものとし、ハロゲンランプとキセノンランプとの間に可視カットフィルターを挿入し、その撮影手段として赤外に感度を持つ赤外電子撮影手段を有する構成は、周知の構成であり（例えば、特開平０３−２２２９３９号公報、特開平０５−０５６９２６号公報参照）、刊行物１に記載された照明光源、フィルター、フィルターの配置及び撮影手段を、該周知の構成とする程度のことは、当業者が容易に想到できたことに過ぎない。
　
上記（相違点２）について検討する。
　蛍光電子撮影モードは、眼科装置において周知のモードであり（例えば、特開平０５−１１１４６６号公報、特開平０５−２８５１０５号公報参照）、刊行物１に記載された眼科装置の散瞳モードに周知の蛍光電子撮影モードを含める程度のことは、当業者が容易に想到できたに過ぎない。
　
上記（相違点３）について検討する。
　刊行物１に記載された眼科装置は、散瞳モードと無散瞳モードとを切り換えて使用しており、散瞳モードと無散瞳モードとを切り換えるための切り換え手段としてスイッチは、周知の切り換え手段であって、刊行物１に記載された、散瞳モードと無散瞳モードとの切り換え手段としてスイッチを選択する事は常套手段に過ぎない。
　
上記（相違点６）について検討する。
　刊行物２には、電源がＯＮさせられた時に初期状態に戻す構成が記載されており、刊行物３には、時刻t0において可視カットフィルターが挿入された状態である点が記載されている。また、散瞳モード、無散瞳モードのどちらのモードであっても、不用意に可視光を眼底に照射することが危険であることは明らかであり、刊行物１に記載された眼科装置に刊行物２に記載された電源がＯＮさせられた時に初期状態に戻す構成を適用する際に、初期状態として刊行物３に記載された時刻t0の状態、即ち、可視カットフィルターが照明光源に挿入された状態を選択することは、当業者であれば容易に想到できたことである。
　
（４） むすび
　以上のとおりであるから、本件発明は、刊行物１−３に記載された発明及び周知の技術に基づいて当業者が容易に発明をすることができたものであるから、本件発明についての特許は特許法第２９条第２項の規定に違反してされたものである。
　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
　
　よって結論のとおり決定する。
【異議決定日】
平成１６年８月６日（２００４．８．６）
【訂正の要旨】
審決（決定）の【理由】欄参照。
（５４）【発明の名称】
眼科装置
（５７）【特許請求の範囲】
　【請求項１】
　
ハロゲンランプとキセノンランプがこの順に対物レンズ側に配列され且つ前記ハロゲンランプ又はとキセノンランプ
蛍光電子撮影モードを含む
前記赤外電子撮像手段
　前記ハロゲンランプとキセノンランプの間に可視カットフィルターが挿脱可能に設けられ、　
　
前記制御回路は、前記モード選択スイッチが散瞳モードと無散瞳モードのいずれを選択している場合でも、
前記可視カットフィルターを前記照明光学系に挿入させて、
【発明の詳細な説明】
　【０００１】
　【産業上の利用分野】
　この発明は、被検眼を電気的な撮像手段であるテレビカメラにより撮像して、撮像した被検願像を映し出させる画像表示装置を眼科装置本体に設けた眼科装置に関するものである。
　【０００２】
　【従来の技術】
　この種の眼科装置としては、例えば図６に示した様に、赤外光を照明光学系を介して被検眼眼底に案内して被検眼眼底を照明する一方、この照明による被検眼眼底からの反射光を観察・撮影光学系を介して赤外光に感度のある赤外撮影用テレビカメラに案内して、このテレビカメラからの画像をカメラ本体２００（眼科装置本体）の後面に設けた白黒モニターテレビ２０１に映し出させるようにした眼底カメラＧＭが考えられている。
　【０００３】
　【発明が解決しようとする課題】
　しかしながら、この眼底カメラＧＭでは、カメラ本体２００に設けられた画像表示手段が白黒モニターテレビ２０１であるため、カラーで眼底像を撮影したい場合には、カメラ本体２００のカメラマウント２０２にカラーテレビカメラ２０３を装着して、可視光を照明光学系を介して被検眼眼底に案内して被検眼眼底を照明する一方、この照明による被検眼眼底からの反射光を観察・撮影光学系を介してカラーテレビカメラ２０３に案内して、このカラーテレビカメラ２０３からの画像をカメラ本体２００とは別体のカラーモニターテレビ２０４［図６（ｂ）参照］に映し出させるようにしなければならないものであった。
　【０００４】
　この様に従来は、眼底カメラＧＭとは別体のカラーモニターテレビ２０４が必要であるため、カラー撮影による映像を観察できるようにするためには広い場所が必要となるものであった。また、外部のカラーモニターテレビ２０４とカメラ本体２００を接続するコード類が外部に煩雑に露出する傾向にあり、好ましいものではなかった。
　【０００５】
　また、暗い部屋での撮影では表示部としてのモニターが２つあるため、照明効果が生じて、眼底の観察・撮影に悪影響を及ぼす虞があった。
　【０００６】
　そこで、この発明は、赤外撮影による白黒の眼底像とカラー撮影によるカラー眼底像を眼科装置本体に設けた一つの画像表示装置に映し出させる様にすることにより、外部のカラーモニターテレビを廃止して、スペースの有効利用を図れると共に、モニターによる照明効果が生じない眼科装置を提供することを目的とするものである。
　【０００７】
　【課題を解決するための手段】
　この目的を達成するために、請求項１の発明は、
ハロゲンランプとキセノンランプがこの順に対物レンズ側に配列され且つ前記ハロゲンランプ又はとキセノンランプ
蛍光電子撮影モードを含む
前記赤外電子撮像手段
　前記ハロゲンランプとキセノンランプの間に可視カットフィルターが挿脱可能に設けられ、　
　
前記制御回路は、前記モード選択スイッチが散瞳モードと無散瞳モードのいずれを選択している場合でも、
前記可視カットフィルターを前記照明光学系に挿入させて、
　【０００８】
　【実施例】
　以下、この発明の実施例を図１〜図５に基づいて説明する。
　【０００９】
＜全体の概略構成＞
　図３において、１００はこの発明にかかる眼底カメラを示したものである。この眼底カメラ１００は、ベース１０１（架台）と、ベース１０１上に固定された固定テーブル１０２と、固定テーブル１０２上に載置された可動テーブル１０３を有する。
　【００１０】
　この固定テーブル１０２上には図４に示した様に、左右一対のガイドレール１０４，１０４が設けられている。また、可動テーブル１０３には、ガイドレール１０４，１０４上まで左右に延び且つ軸線回りに回転自在に設けられた回転軸１０５と、回転軸１０５の両端に固定され且つガイドレール１０４，１０４に案内される車輪１０６，１０６が設けられている。しかも、このガイドレール１０４には図示しない係合穴が等ピッチで長手方向に設けられ、車輪１０６にはガイドレール１０３に係合穴に係合する円錐状の係合ピン（図示せず）が設けられている。
　【００１１】
　尚、可動テーブル１０３は回転軸１０５に左右方向に移動自在に保持され、この可動テーブル１０３と回転軸１０５との間には前後移動量を検出するロータリーエンコーダ１０７（前後位置検出手段）が介装されている。
　【００１２】
　また、眼底カメラ１００は、図３に示した様に可動テーブル１０３に任意の方向に傾動自在に装着されて傾動操作時に可動テーブル３を傾動方向に移動操作するジョイステックレバー１０８と、ジョイステックレバー１０８に装着された撮影スイッチ４１を有する。
　【００１３】
　また、眼底カメラ１００は、可動テーブル１０３上に固定されたカメラ本体１０９（眼科装置本体）と、カメラ本体１０９のカメラマウント１０９ａに装着されたカラー撮像装置１１０を有する。このカラー撮像装置１１０は、カメラ本体１０９内の光学系からの映像を案内する光学部品を収納する光学部品収納部１１０ａと、光学部品収納部１１０ａに装着されたカラーテレビカメラ３０（後述）を有する。
　【００１４】
＜カメラ本体１０９内の光学系＞
　１はカメラ本体１０９内の照明光学系、２はカメラ本体１０９に設けられた観察・撮影光学系、３は被検眼である。
　【００１５】
［照明光学系］
　照明光学系１は、観察照明光学系と撮影照明光学系を有する。
　【００１６】
　この撮影照明光学系は、キセノンランプ６，コンデンサレンズ７，リング状絞り９，リレーレンズ１１，反射ミラー１２，リレーレンズ１３，黒点板１４，リレーレンズ１５，孔空きミラー１６，対物レンズ１７等の光学部品をこの順に有する。そして、キセノンランプ６からの撮影照明光は、コンデンサーレンズ７から対物レンズ１７までの光学部品を介して被検眼３の眼底Ｅｆに投影される。
　【００１７】
　しかも、キセノンランプ６とコンデンサレンズ７との間には、可視蛍光用のエキサイタフィルターＥ１と赤外蛍光用のＥ２が第１の駆動手段であるソレノイドＳ１，Ｓ２によりそれぞれ挿脱可能に設けられている。
　【００１８】
　また、観察照明光学系は、観察用光源としてのハロゲンランプ４，コンデンサレンズ５，コンデンサレンズ７から対物レンズ１７までの光学部品を有する。そして、ハロゲンランプ４からの観察照明光はコンデンサレンズ７から対物レンズ１７までの光学部品を介して眼底Ｅｆに投影される。
　【００１９】
　［観察・撮影光学系］
　観察・撮影光学系２は、カラー撮影光学系と赤外撮影光学系を有する。このカラー撮影光学系は、カメラ本体１０９内に配設された内部光学系と、カメラ本体１０９に接続されたカラー撮像装置１１０に設けた外部光学系を有する。
　【００２０】
　内部光学系は、被検眼３に臨む対物レンズ１７，合焦レンズ１９，結像レンズ２０を有する。外部光学系は、ミラー２１，マスク３６，眼底Ｅｆと共役なフィールドレンズ２２，反射ミラー２３，リレーレンズ２４，カラーテレビカメラ３０を有する。図中、３０ａは、カラーテレビカメラ３０のカラーエリアＣＣＤ（カラー電子撮像手段）である。
　【００２１】
　また、赤外撮影光学系は、対物レンズ１７，合焦レンズ１９，結像レンズ２０，この結像レンズ２０とミラー２１との間に配設されたダイクロイックミラー７０，レンズ７１，マスク７２，フィールドレンズ７３、赤外光に感度を有する赤外撮影用カメラ７４（赤外電子撮像手段）を有する。このダイクロイックミラー７０は、赤外域の波長の光を反射し且つ可視光域の波長の光を透過するようになっている。図中、７４ａは赤外撮影用テレビカメラ７４の赤外光に感度を有するエリアＣＣｄである。
　【００２２】
　しかも、孔空きミラー１６と合焦レンズ１９との間には、可視蛍光用のバリヤフィルターＢ１と赤外蛍光用のバリヤフィルターＢ２が第２の駆動手段であるソレノイドＳ３，Ｓ４によりそれぞれ挿脱可能に配設されている。
　【００２３】
　従って、被検眼３の眼底Ｅｆからの可視反射光によるカラー眼底像が、対物レンズ１７から結像レンズ２０までの光学部品、及び、ミラー２１，眼底Ｅｆと共役なフィールドレンズ２２，反射ミラー２３，リレーレンズ２４，マスク３６を介してカラーテレビカメラ３０のエリアＣＣＤ３０ａに結像される。
　【００２４】
　一方、被検眼３の眼底Ｅｆからの赤外反射光による赤外眼底像が、対物レンズ１７から結像レンズ２０までの光学部品、及び、ダイクロイックミラー７０，レンズ７１，マスク７２，フィールドレンズ７３を介して赤外撮影用テレビカメラ７４（赤外電子撮像手段）のエリアＣＣＤ７４ａに結像される。
　【００２５】
　［固視目標光学系］
　固視目標光学系Ａは、結像レンズ２０とミラー２１との間に挿脱自在に配設されたハーフミラー３２，固視目標としての小孔３３ａを有し且つ眼底Ｅｆと共役に配置された固視目標用のマスク３３，小孔３３ａに臨ませて配設された発光ダイオード等の固視目標用光源３４を有する。尚、マスク３３及び固視目標用光源３４は、パルスモータ等で電動駆動制御されるＸーＹテーブル（図示略）等の固視目標駆動装置３５に装着されている。
　【００２６】
　［カラー表示装置］
　図３（ｂ）において、６０はカラー液晶モニター（カラー表示装置）である。このカラー液晶モニター６０は図３（ｂ）に示した様にカメラ本体１０９の背面に設けられている。即ち、このカラー液晶モニター６０は、図５（ａ）に示した様に、カメラ本体１０９の後側壁１０９ｂに設けた開口１０９ｃに配設されていると共に、両側下部に一体に保持され且つ開口１０９ｃの側壁１０９ｄ，１９ｄに回動自在に保持させた支持軸部６０ａ，６０ａが設けられている。
　【００２７】
　また、カメラ本体１０９内には、カラー液晶モニター６０に近接させてカメラ本体１０９内に固定したパルスモータ１１１と、パルスモータ１１１に連動するギヤ減速装置１１２と、ギヤ減速装置１１２の出力軸１１２ａに固定されたアーム１１３と、両端がアーム１１３とカラー液晶モニター６０の背面に回動可能に装着されたリンク１１４を有する。図５（ａ）中、１１５は検者眼である。
　【００２８】
　［制御回路］
　更に、眼底カメラは図１に示した演算制御回路４０を有する。
　【００２９】
　この演算制御回路４０には、撮影スイッチ４１，撮影モード選択スイッチ４２，タイマースイッチ４３，エキサイタスイッチ４４，バリヤスイッチ４５，モニター傾斜調整用の起立スイッチ４６，倒伏スイッチ４７，ロータリーエンコーダ１０７等からの信号が入力される様になっている。
　【００３０】
　また、演算制御回路４０は、駆動回路５１，５２，５３，５４を介してソレノイドＳ１，Ｓ２，Ｓ３，Ｓ４を作動制御するようになっていると共に、発光制御回路５５を作動制御するようになっている。
　【００３１】
　しかも、演算制御回路４０は、モニター傾斜調整用のスイッチ４６，ロータリーエンコーダ１０７の信号を受けてパルスモータ１１１を駆動制御するようになっている。即ち、演算制御回路４０は、起立スイッチ４６操作の信号を受けると、パルスモータ１１１を正転駆動制御して図５（ａ）中アーム１１３を時計回り方向に回動させて、カラー液晶モニター６０の上部を後方に回動させて起立させる一方、倒伏スイッチ４７操作の信号を受けると、パルスモータ１１１を逆転駆動制御して図５（ａ）中アーム１１３を反時計回り方向に回動させ、カラー液晶モニター６０の上部を前方に回動させて倒伏させる様になっている。
　【００３２】
　また、演算制御回路４０は、カメラ本体１０９が前方に移動させられたときのロータリーエンコーダ１０７の出力を検出して、パルスモータ１１１を正転駆動制御して図５（ａ）中アーム１１３を時計回り方向に回動させて、カラー液晶モニター６０の上部を後方に回動させて起立させる一方、カメラ本体１０９が後方に移動させられたときのロータリーエンコーダ１０７の出力を検出して、パルスモータ１１１を逆転駆動制御して図５（ａ）中アーム１１３を反時計回り方向に回動させ、カラー液晶モニター６０の上部を前方に回動させて倒伏させる様になっている。この際の、カラー液晶モニター６０の起立制御量及び倒伏制御量は、カメラ本体１０９の前後への移動量に応じて、連続的に変化させられるようになっている。
　【００３３】
　しかも、演算制御回路４０には、カラーテレビカメラ３０のエリアＣＣＤ３０ａ及び赤外撮影用テレビカメラ７４のエリアＣＣＤ７４ａが接続されていると共に、上記カラー液晶モニター６０が接続されている。図３中、１１６，１１７はカラーテレビカメラ３０とカメラ本体１０９内の制御回路４０とを接続しているコードである。
　【００３４】
　上記撮影モード選択スイッチ４２は、可視カラー電子撮影モード，可視蛍光電子撮影モード，赤外電子撮影モード，赤外蛍光電子撮影モード等の選択をするのに用いるものである。
　【００３５】
　＜演算制御回路４０のその他の機能＞
　次に、上述の演算制御回路４０のその他の機能を作用と共に説明する。
　【００３６】
　Ａ．無散瞳モード
（１）初期状態（無散瞳照明状態）
　通常は、フィルターＥ１，Ｅ２，Ｂ１，Ｂ２等が光路に入っているか否かによらず、図示しない眼底カメラの電源スイッチをＯＮさせると、演算制御回路４０が作動して初期化され、演算制御回路４０が各光路にソレノイドＳ１，Ｓ２，Ｓ３，Ｓ４を作動させて各光路からフィルターＥ１，Ｂ１，Ｂ２を取り出すと共に、エキサイタフィルターＥ２を光路中に挿入する様になっている。
　【００３７】
　この後、演算制御回路４０は、発光制御回路５５を作動制御してハロゲンランプ４を点灯させる。尚、この初期状態では、無散瞳モードと散瞳モードのどちらで観察・撮影を行うかわからないので、安全を考え可視光が出ないようにしてある。
　【００３８】
（２）赤外観察・可視カラー撮影＜赤外観察＞
　これにより、ハロゲンランプ４の照明光に含まれる赤外光が、エキサイタフィルターＥ２を透過して照明光学系１により被検眼に照射され、眼底の無散瞳観察がし得る状態となる。
　【００３９】
　これにより、ハロゲンランプ４の照明光に含まれる赤外光が、エキサイタフィルターＥ２を透過して照明光学系１により被検眼に照射される。
　【００４０】
　この際、被検眼眼底からの赤外反射光は、対物レンズ１７，合焦レンズ１９，結像レンズ２０，ダイクロイックミラー７０，レンズ７１，マスク７２等を介してフィールドレンズ７３に案内されて、このフィールドレンズ７３に眼底像が結像される。
　【００４１】
　このフィールドレンズ７３に結像された眼底像は、赤外撮影用テレビカメラ７４のエリアＣＣＤ７４ａに結像されて、制御回路４０を介してカラー液晶モニター６０にリアルタイムで映し出され、眼底の無散瞳観察が行われる。
　【００４２】
　この状態で、観察・撮影光学系の眼底への合焦作業が行われる。
　【００４３】
＜可視カラー撮影＞
　この合焦作業が完了後、撮影スイッチ４１をＯＮさせると、演算制御回路４０は、ハロゲンランプ４を消灯または減光させて、キセノンランプ６を発光制御する。これにより、キセノンランプ６からの撮影照明光は照明光学系１を介して被検眼眼底に照射されて被検眼眼底を照明する。
　【００４４】
　被検眼眼底からの可視反射光は、対物レンズ１７からフィールドレンズ７３までの光学部品を介して可視撮影用テレビカメラ３０のエリアＣＣＤ３０ａに可視光像を結像させる。そして、この可視光像は、制御回路４０を介してカラー液晶モニター６０に映し出される。
　【００４５】
（３）赤外蛍光撮影
　また、赤外蛍光撮影を行う場合には、被検眼眼底への合焦作業を行う一方、被検者に蛍光励起剤であるＩＣＧ（インドシアニングリーン）を静注する。
　【００４６】
　この合焦作業を行う前に、撮影条モード選択スイッチ４２により赤外蛍光撮影モードを選択して、エキサイタスイッチ４４を押す。これにより、演算制御回路４０は、駆動回路５２を作動制御してソレノイドＳ２を作動させ、エキサイタフィルターＥ２を照明光路途中に挿入させる。
　【００４７】
　同様に、演算制御回路４０は、バリヤスイッチ４５を押したときに駆動回路５４を作動制御してソレノイドＳ４を作動させ、バリヤフィルターＢ２を観察・撮影光学系の光路途中に挿入させる。
　【００４８】
　この様にしてフィルターＥ２，Ｂ２のいずれかが光路に挿入される。
　【００４９】
　ところで、通常は、エキサイタフィルターＥ２のみが先に照明光路途中に挿入された状態で、観察・撮影光学系の眼底への合焦作業が行われる。
　【００５０】
　この合焦作業が完了した後、撮影スイッチ４１をＯＮさせると演算制御回路４０は、ソレノイドＳ４を作動させて、ソレノイドＳ４によりバリヤフィルターＢ２を観察・撮影光路途中に挿入する。
　【００５１】
　しかも、演算制御回路４０は、これに続いて発光制御回路５５によりハロゲンランプ４を消灯または減光させると共に、発光制御回路５５によりキセノンランプ６を発光させて、眼底の撮影を行う。
　【００５２】
　この際、キセノンランプ６からの撮影照明光の内の赤外励起光がエキサイタフィルターＥ２及び照明光学系１を介して被検眼眼底に照射されて被検眼眼底を照明する。この赤外励起光は、被検眼眼底の眼底血管内のＩＣＧを励起して、ＩＣＧから照明光と異なる波長の赤外蛍光を発光させる。
　【００５３】
　この眼底血管からの赤外蛍光は、対物レンズ１７からフィールドレンズ７３までの光学部品を介して赤外撮影用テレビカメラ７４のエリアＣＣＤ７４ａに案内されて、エリアＣＣＤ７４ａに赤外蛍光像を結像させる。そして、エリアＣＣＤ７４ａに結像された赤外蛍光像は、制御回路４０を介してカラー液晶モニター６０に映し出される。
　【００５４】
Ｂ．散瞳モード
（１）可視カラー観察・撮影
　また、上述した無散瞳モードの状態から撮影モード選択スイッチ４２により散瞳モード即ち可視カラー観察・撮影モードを選択すると、演算制御回路４０はソレノイドＳ２を作動させて光路中にフィルターが挿入されていれば全てのフィルターを光路から取り出す様になっている。これにより、ハロゲンランプ４の照明光が被検眼に照射される。
　【００５５】
　この際、被検眼眼底からの反射光は、対物レンズ１７，合焦レンズ１９，結像レンズ２０，ダイクロイックミラー７０，ミラー２１，マスク３６等を介してフィールドレンズ２２に案内されて、このフィールドレンズ２２にカラー眼底像を結像させる。このフィールドレンズ２２に結像されたカラー眼底像は、ミラー２３，リレーレンズ２４を介してカラー撮影用テレビカメラ３０のエリアＣＣＤ３０ａに結像されて、制御回路４０を介してカラー液晶モニター６０にリアルタイムで映し出される。
　【００５６】
　この状態で、観察・撮影光学系の眼底への合焦作業が行われる。
　【００５７】
　この合焦作業が完了後、撮影スイッチ４１をＯＮさせると演算制御回路４０は、ハロゲンランプ４を消灯または減光させて、キセノンランプ６を発光制御する。これにより、キセノンランプ６からの撮影照明光が照明光学系１を介して被検眼眼底に照射されて被検眼眼底を照明する様になっている。
　【００５８】
　被検眼眼底からの可視反射光は、対物レンズ１７からリレーレンズ２４までの光学部品を介してカラー撮影用テレビカメラ３０のエリアＣＣＤ３４ａにカラー眼底像を結像させる。そして、このカラー眼底像は、制御回路４０を介してカラー液晶モニター６０に映し出される。
　【００５９】
　（２）可視蛍光撮影
　また、可視蛍光撮影を行う場合には、被検眼眼底への合焦作業を行う一方、被検者に可視蛍光励起剤であるＦＡＧ（フルオレスセイン）を静注する。
　【００６０】
　この合焦作業を行う前に、撮影モード選択スイッチ４２により可視蛍光撮影モードを選択して、エキサイタスイッチ４４を押す。これにより、演算制御回路４０は、駆動回路５１を作動制御してソレノイドＳ１を作動させ、エキサイタフィルターＥ１を照明光路途中に挿入させる。
　【００６１】
　同様に、演算制御回路４０は、バリヤスイッチ４６を押したときに駆動回路５３を作動制御してソレノイドＳ３を作動させ、バリヤフィルターＢ１を観察・撮影途中に挿入させる。
　【００６２】
　この様にしてフィルターＥ１，Ｂ１のいずれかが光路に挿入される。
　【００６３】
　ところで、通常は、エキサイタフィルターＥ１のみが先に照明光路途中に挿入された状態で、観察・撮影光学系の眼底への合焦作業が行われる。
　【００６４】
　この合焦作業が完了した後、撮影スイッチ４１をＯＮさせると演算制御回路４０は、ソレノイドＳ３を作動させて、ソレノイドＳ３によりバリヤフィルターＢ１を観察・撮影光路途中に挿入する。しかも、演算制御回路４０は、これに続いて発光制御回路５５によりキセノンランプ６を発光させて、眼底の撮影を行う。
　【００６５】
　この際、眼底血管からの可視蛍光は、観察・撮影光路及びバリヤフィルターＢ１をエリアＣＣＤ３０ａに案内されて、可視蛍光による眼底血管像がカラー液晶モニター６０に映し出される。
　【００６６】
　以上説明したように、モニターをカラー液晶表示器６０とすることにより、散瞳眼底カメラと無散瞳眼底カメラの両方を兼ねさせることができる。しかも、散瞳のみの観察・撮影を行う散瞳眼底カメラでは、眼底のカラー観察を行う必要があるためにファインダー観察光学系を必要とするが、上述したように散瞳と無散瞳の両方の眼底像の表示を共用のカラー液晶モニター６０が兼ね備える様にすることにより、ファインダー光学系を省略できるので、構成が簡単となる。
　【００６７】
　以上説明した、実施例では、エキサイタフィルターＥ２を利用して散瞳モードによる観察を行い、可視カラー撮影を行うようにした例を示したが、図１の光学系のコンデンサーレンズ５とキセノンランプ６との間に可視カットフィルター５６を挿脱可能に設けて、無散瞳モードのときにはフィルターＥ１，Ｅ２，Ｂ１，Ｂ２を光路から取り出させると共に、可視カットフィルター５６を光路に挿入させて、ハロゲンランプ４からの赤外光のみを可視カットフィルター５６及び照明光学系１を介して眼底に案内させ、赤外光による観察を行った後、キセノンランプ６を発光制御させて眼底のカラー撮影を行うようにしてもよい。
　【００６８】
　また、フィルターＥ１，Ｅ２，Ｂ１，Ｂ２を省略すると共に、可視カットフィルター５６を設けた無散瞳タイプ専用の眼底カメラとしてもよい。
　【００６９】
　【効果】
　この発明は、以上説明したように、白黒の眼底像とカラー撮影によるカラー眼底像を眼科装置本体に設けた一つの画像表示装置に映し出させる様に構成したので、外部のカラーモニターテレビを廃止して、スペースの有効利用を図れると共に、モニターによる照明効果が生じるのを未然に防止できる。しかも、前記演算制御回路は電源がＯＮさせられた初期状態のときに前記照明光学系から前記被検眼に赤外光を照射させるように設定されている構成としたので、初期状態では無散瞳モードと散瞳モードのどちらで観察・撮影を行うかわからなくても可視光がでないので、安全である。
【図面の簡単な説明】
　【図１】この発明に係る眼科装置の光学系を示す説明図である。
　【図２】図１に示した光学系を備える眼科装置の制御回路図である。
　【図３】（ａ）は図１，２の構成を備える眼科装置の側面図、（ｂ）は（ａ）の右側面図である。
　【図４】図３の可動テーブルの移動構造を示す概略説明図である。
　【図５】（ａ）は図３（ｂ）にカラー液晶モニターの傾斜調整構造を示す説明図、（ｂ）は（ａ）のカラー液晶モニターの支持部の断面図、（ｃ）は（ａ）のパルスモータの側面図である。
　【図６】（ａ）は従来の眼科装置の側面図、（ｂ）は（ａ）の背面図である。
　【符号の説明】
　１…照明光学系
　２…観察・撮影光学系
　４…ハロゲンランプ（照明光源）
　６…キセノンランプ（照明光源）
　３０…カラーテレビカメラ（カラー電子撮像手段）
　６０…カラー液晶モニター（カラー表示装置）
　７４…赤外電子撮影用テレビカメラ（赤外電子撮像手段）
　１００…眼底カメラ
　１０９…カメラ本体
　Ｅ…被検眼